(57)【要約】【課題】室空間の意匠性を損なわず、照明の照度が低下しないスピーカ付きの照明器具を提供することを課題とする。【解決手段】光源２６の背面に反射板２２が設けられている。そして、この反射板２２の一部が平面スピーカ３０の平面状の振動板３２になっている。さらに、反射板２２と振動板３２の反射面が同色である。よって、平面スピーカ３０の振動板３２が光源２６によって隠れ、また、反射板２２と振動板３２の反射面が同色なので、平面スピーカ３０によって室空間の意匠性が損なわれることがない。また、平面スピーカ３０の振動板３２が光源２６の反射板２２として機能するので、平面スピーカ３０を設けても照明の照度が低下しない。【選択図】図３
2007305472.tif 000002
【特許請求の範囲】
【請求項１】
建物の室空間を照らす照明器具において、
光源と、
前記光源の背面に設けられた反射板と、
前記反射板の一部となる平面状の振動板を有する平面スピーカと、
を備え、
前記反射板と前記振動板の反射面が同色であることを特徴とする照明器具。
【請求項２】
前記平面スピーカは着脱可能であり、前記平面スピーカを装着したときに、前記平面スピーカの振動板が前記反射板に設けられた開口部を塞ぐことを特徴とする請求項１に記載の照明器具。
【請求項３】
前記反射板と前記振動板の反射面は、白色面又は鏡面であることを特徴とする請求項１又は請求項２に記載の照明器具。
【請求項４】
前記光源は、蛍光灯であることを特徴とする請求項１〜請求項３の何れか１項に記載の照明器具。
【請求項５】
前記振動板の反射面は、耐火性を有する材料であることを特徴とする請求項１〜請求項４の何れか１項に記載の照明器具。
【発明の詳細な説明】
【技術分野】
【０００１】
本発明は、建物の室空間を照らすスピーカ付きの照明器具に関する。
【背景技術】
【０００２】
オフィスビル、学校、公共施設等の案内放送や非常放送の設備として、天井埋め込み型のコーンスピーカが一般に用いられている。天井にスピーカを設けることによって、適切な音像感が得られる範囲（サービスエリア）が広くなるが、部屋にいる人からスピーカが見えるので室空間の意匠性が損なわれてしまう。
【０００３】
特許文献１は、下方から見た平面図の図７に示すように、スラブ天井に取付けられたＴバー（不図示）に支持された照明ユニット２００による照明システムである。照明ユニット２００の周縁に沿って蛍光灯を光源とする照明器具２０２が４台配置され、さらに、照明ユニット２００の隅部にはスピーカ２０４、非常照明２０６、感知器２０８、設備プレート２１０がそれぞれ取付けられて照明ユニット２００と一体になっている。
【０００４】
よって、照明ユニット２００に取付けられたスピーカ２０４を放送設備として用いることができる。また、４台の照明器具２０２のレイアウトを変えて、さまざまな照明パターンを作り出すことにより、オフィスのレイアウトに対してフレキシビリティのある照明システムを提供することができる。
【０００５】
しかし、照明ユニット２００の下方にいる人からスピーカ２０４が見えるので、室空間の意匠性が損なわれてしまう。
【０００６】
特許文献２は、下方から見た平面図の図８に示すように、天井に取付けられた音響装置付照明器具２１２である。音響装置付照明器具２１２の底板２１４には、音響装置としてのスピーカ２１６が下向きに取付けられており、底板２１４の下方に設けられた蛍光灯２１８の間に位置している。
【０００７】
しかし、スピーカ２１６は蛍光灯２１８によって多少隠れるが、高い意匠性が求められる室空間においては不十分であり、また、スピーカ２１６を設けた部分の光反射率は小さくなるので、蛍光灯２１８による照明の照度が低下してしまう。
【特許文献１】特開平１−１３７５０２号公報
【特許文献２】特開平４−８７２０７号公報
【発明の開示】
【発明が解決しようとする課題】
【０００８】
本発明は係る事実を考慮し、室空間の意匠性を損なわず、照明の照度が低下しないスピーカ付きの照明器具を提供することを課題とする。
【課題を解決するための手段】
【０００９】
請求項１に記載の発明は、建物の室空間を照らす照明器具において、光源と、前記光源の背面に設けられた反射板と、前記反射板の一部となる平面状の振動板を有する平面スピーカと、を備え、前記反射板と前記振動板の反射面が同色であることを特徴としている。
【００１０】
請求項１に記載の発明では、建物の室空間を照らす照明器具に備えられた光源の背面に反射板が設けられている。そして、この反射板の一部が平面スピーカの平面状の振動板になっている。さらに、反射板と振動板の反射面が同色である。
【００１１】
よって、平面スピーカの振動板が光源によって隠れ、また、反射板と振動板の反射面が同色なので、平面スピーカによって室空間の意匠性が損なわれることがない。
【００１２】
また、平面スピーカの振動板が光源の反射板として機能するので、平面スピーカを設けても照明の照度が低下しない。
【００１３】
また、平面スピーカから出力された音が、反射板と光源の表面で反射することによって室空間に拡散する。よって、広い範囲に音を到達させることができ、また、直線指向性の強いスピーカを用いた場合でも広いサービスエリアを確保することができる。
【００１４】
平面スピーカは、一般に、低音域は広い指向性を有するが、高音域は直進性が強く、指向性が狭くなる。しかし、本発明では、光源の表面（例えば、蛍光灯や白熱電球等の曲面）を利用して音波の拡散が行われるので、高音域においても指向性を広げることができる。
【００１５】
また、光源からの光によって十分な照度が得られる最大距離よりも、平面スピーカから良好な音が届く最大距離の方が長いので、従来の照明器具の配置のままで、平面スピーカから良好の音を聞くことができる。
【００１６】
また、平面スピーカの増幅器等の機器を平面スピーカの近くに設けた場合に、光源用の電源配線を平面スピーカの電源配線として共用することができる。
【００１７】
請求項２に記載の発明は、前記平面スピーカは着脱可能であり、前記平面スピーカを装着したときに、前記平面スピーカの振動板が前記反射板に設けられた開口部を塞ぐことを特徴としている。
【００１８】
請求項２に記載の発明では、平面スピーカは着脱可能であり、また、反射板には開口部が設けられている。そして、平面スピーカを装着したときに、この開口部が平面スピーカの振動板で塞がれる。
【００１９】
よって、照明器具を天井に取付けた場合に、反射板に設けられた開口部が点検口となり、反射板の裏側の空間に設けられた安定器等の照明機器や増幅器等の音響機器の保守作業を容易に行うことができる。
【００２０】
また、平面スピーカの着脱が可能なので、必要な照明器具のみに平面スピーカを設けることができる。よって、室空間の用途に応じて平面スピーカの配置を自由かつ容易に変更することができる。
【００２１】
請求項３に記載の発明は、前記反射板と前記振動板の反射面は、白色面又は鏡面であることを特徴としている。
【００２２】
請求項３に記載の発明では、反射板と振動板の反射面を白色面又は鏡面とすることによって、より優れた光の反射効果を得ることができる。
【００２３】
請求項４に記載の発明は、前記光源は、蛍光灯であることを特徴としている。
【００２４】
請求項４に記載の発明では、光源を蛍光灯とすることにより、平面スピーカから出力された音が蛍光灯の曲面に当たって拡散するので、より優れた音の拡散効果を得ることができる。
【００２５】
請求項５に記載の発明は、前記振動板の反射面は、耐火性を有する材料であることを特徴としている。
【００２６】
請求項５に記載の発明では、振動板の反射面を耐火性を有する材料とすることによって、火災時等の非常放送用のスピーカとして使用することができる。
【発明の効果】
【００２７】
本発明は上記構成としたので、室空間の意匠性を損なわず、照明の照度が低下しないスピーカ付きの照明器具を提供することができる。
【発明を実施するための最良の形態】
【００２８】
図面を参照しながら、本発明の実施形態に係る照明器具１０について説明する。
【００２９】
なお、本実施形態は、オフィスビル、学校、公共施設等の建物の室空間を照らすさまざまな照明器具に適用することが可能である。
【００３０】
図１には、本実施形態の照明器具１０の全体斜視図が示されている。照明器具１０は、建物の室空間を照らすために天井部に設けられた下面開放型の照明器具である。
【００３１】
上端部が天井スラブ（不図示）に固定されて吊下げられた吊下げ棒１４Ａ、１４Ｂ、１４Ｃの下端部に、逆Ｔ字状の長尺金物からなる支持金物１２Ａ、１２Ｂ、１２Ｃが取付けられている。
【００３２】
そして、支持金物１２Ａと１２Ｂの間には天井ボード１６が並べられ、支持金物１２Ｂと１２Ｃの間には照明器具１０が天井裏側に突出するように載置されている。また、支持金物１２Ｂと１２Ｃの間において、照明器具１０が設けられていない場所には天井ボード１８が配置されている。
【００３３】
照明器具１０のフレーム部材２０は、フレーム部材２０の内側に設けられた光源としての蛍光灯２６の背面に位置する反射板２２と、蛍光灯２６の長手方向の両端部に位置する端部カバー２４とによって構成され、反射板２２の内面Ａ及び端部カバー２４の内面Ｂは共に白色となっている。
【００３４】
下方から見た平面図の図２に示すように、フレーム部材２０の内側には直管の蛍光灯２６が２本並んで配置されている。蛍光灯２６は、端部カバー２４に設けられたソケット３４に、蛍光灯２６の両端部を差し込むことによって、フレーム部材２０に取付けられている。
【００３５】
反射板２２の略中央には、Ａ４サイズの大きさの開口部２８が形成されており、平面スピーカ３０の振動板３２がこの開口部２８を塞ぐように設けられている。振動板３２の下面Ｃは、反射板２２の内面Ａと同じ白色となっている。
【００３６】
図２のＡ−Ａ断面図である図３、及び図２のＢ−Ｂ断面図である図４に示すように、振動板３２は平面状であり、外形が開口部２８に係合する形になっている。さらに、振動板３２の上部周縁には鍔部３６が形成されている。
【００３７】
振動板３２の下部側面及び鍔部３６の下面には防振ゴム３８が設けられ、平面スピーカ３０の振動板３２を開口部２８に嵌込んだときに、振動板３２と反射板２２の間に介在するようになっている。
【００３８】
これは、振動板３２の振動が反射板２２に伝わることによって天井ボード１６、１８に振動騒音が発生しないようにし、また、振動板３２の振動が反射板２２によって拘束されて十分な音が出力されなくなってしまうことを防ぐためである。
【００３９】
さらに防振ゴム３８は、開口部２８と振動板３２が係合したときの隙間を無くすので、平面スピーカ３０をフレーム部材２０にしっかりと固定することができる。
【００４０】
また、防振ゴム３８の下面Ｄも反射板２２の内面Ａ、端部カバー２４の内面Ｂ、及び振動板３２の下面Ｃと同じ白色となっている。
【００４１】
天井裏の上方から平面スピーカ３０の振動板３２を開口部２８に嵌込むと、鍔部３６が開口部２８の縁に引掛かって留まる。
【００４２】
このとき、振動板３２は平面状なので、振動板３２の下面は周辺の反射板２２の内面と一体となった一様な面を形成する。すなわち、平面スピーカ３０の振動板３２が反射板２２の一部となっている。
【００４３】
説明の都合上、図２には、振動板３２の外周線４０が見えているが、反射板２２の内面Ａ、振動板３２の下面Ｃ、及び防振ゴム３８の下面Ｄはすべて同じ白色であり、防振ゴム３８によって開口部２８と振動板３２の間の隙間を無くしているので外周線４０は見えず、反射板２２と振動板３２の区別も見た目ではわからなくなっている。
【００４４】
図３に示すように、反射板２２上面の左側には、蛍光灯２６の安定器等を有する照明ユニット４２が設けられている。照明ユニット４２は、天井裏に設けられた電源配線（不図示）につながっている。
【００４５】
反射板２２上面の右側には、平面スピーカ３０の増幅器等を有する音響ユニット４４が設けられている。天井裏に設けられたスピーカ線（不図示）の一端は音響ユニット４４に、もう一端は放送室や防災センター等に備えられた音響信号発生装置や音声信号発生装置に接続されている。また、音響ユニット４４は、照明ユニット４２の電源配線につなげられ、照明ユニット４２と電源を共有している。
【００４６】
さらに、振動板３２の上面には、複数の振動子４６が装着されており、これらの振動子４６は音響ユニット４４の増幅器にそれぞれ並列に接続されている。
【００４７】
次に、本発明の実施形態に係る照明器具１０の作用及び効果について説明する。
【００４８】
図３に示すように、電源配線から供給された電力は、照明ユニット４２の安定器を介して蛍光灯２６に送られ、蛍光灯２６が室空間を照らす。このとき蛍光灯２６の背面に向かう光は、反射板２２で反射して室空間に向かうので、効率よく室空間が照らされる。
【００４９】
また、照明ユニット４２の電源配線の電力は音響ユニット４４の増幅器に供給され、スピーカ線から送られてくる音響信号や音声信号の電気信号を増幅する。そして、増幅された電気信号に応じて、振動子４６が振動板３２を振動させて音が発生する。
【００５０】
よって、平面スピーカ３０の振動板３２が蛍光灯２６によって隠れ、また、反射板２２と振動板３２の反射面が同色なので、意匠上は、蛍光灯を光源とする通常の照明器具の場合と何ら変わらない。よって、平面スピーカ３０によって室空間の意匠性が損なわれることがない。
【００５１】
また、平面スピーカ３０の振動板３２が蛍光灯２６の反射板として機能するので、平面スピーカ３０を設けても照明の照度が低下しない。
【００５２】
また、平面スピーカ３０から出力された音は、反射板２２と蛍光灯２６の表面で反射して室空間に拡散する。よって、広い範囲に音を到達させることができるので、照明器具１０に設ける平面スピーカ３０の数を減らすことができる。
【００５３】
また、本実施形態の平面スピーカ３０のような、比較的拡散性が高い分割振動型の平面スピーカだけでなく、図５の側断面図に示すような、直線指向性の強い平面スピーカ４８を用いた場合でも広いサービスエリアを確保することができる。
【００５４】
平面スピーカ４８は、振動子を用いない振動膜型の平面スピーカである。フレーム部材５０の下面には、複数の永久磁石５２が、磁極面の極性が異なるように交互に、かつ所定の隙間を設けて固定されている。
【００５５】
そして、この永久磁石５２の磁極面に対向するように、振動膜５４が磁極面に近接して設けられている。振動膜５４の内側には、コイル５６が複数配置されている。振動膜５４の周囲には、弾性体５８が設けられている。また、コイル５６は、電流を流したときにフレミングの左手の法則の原理によって、振動膜５４の膜面が垂直な方向の力を受けて変位するように配置されている。
【００５６】
したがって、電気信号をコイル５６に通電することにより、この電気信号に応じて振動膜５４が振動し、音が出る。
【００５７】
平面スピーカは、一般に、低音域は広い指向性を有するが、高音域は直進性が強く、指向性が狭くなる。しかし、本実施形態では、光源の表面（蛍光灯の曲面）を利用して音波の拡散が行われるので、高音域においても指向性を広げることができる。
【００５８】
また、蛍光灯２６からの光によって十分な照度が得られる最大距離（一般に、０．９〜１．８ｍ程度）よりも、平面スピーカ３０から良好な音が届く最大距離（一般に、３〜４ｍ程度）の方が長いので、従来の照明器具の配置（一般に、１．８〜３．６ｍ程度の間隔）のままで、平面スピーカ３０から良好の音を聞くことができる。場合によっては、全ての照明器具に平面スピーカ３０を設けなくてもよい。
【００５９】
また、平面スピーカ３０の増幅器等を有する音響ユニットを平面スピーカの近くに設けた場合に、蛍光灯２６用の電源配線を平面スピーカ３０の電源配線として共用することができる。
【００６０】
さらに、本実施形態のように、照明器具１０を天井部に取付けた場合に、反射板２２に設けられた開口部２８が点検口となり、反射板２２の裏側の空間に設けられた安定器等を有する照明ユニット４２や増幅器等を有する音響ユニット４４の保守作業を容易に行うことができる。安定器には寿命があり、定期的な交換が必要なので、このような点検口は運用において有効となる。特に、本実施形態における平面スピーカ３０の固定は、ボルト等を用いることなく開口部２８に振動板３２を係合しただけの機構なので、容易かつスピーディーに平面スピーカ３０の着脱を行うことができる。さらに、防振ゴム３８によって、開口部２８と振動板３２の隙間を埋めて密着性を高めているので、ちょっとした振動ぐらいでは外れることはない。
【００６１】
また、平面スピーカ３０の着脱が可能なので、必要な照明器具１０のみに平面スピーカ３０を設けることができる。よって、室空間の用途に応じて平面スピーカ３０の配置を自由かつ容易に変更することができる。この場合、平面スピーカ３０を設けない開口部２８には、振動板３２と同形状のダミー部材を設ければよい。ダミー部材の材質は、十分な強度が得られるものであればよく、木材、合成樹脂、金属等を用いることができる。軽量の材料が適している。
【００６２】
なお、本実施形態において、光源として直管の蛍光灯２６を用いた例を示したが、これに限るものではなく、光源の表面に当たった音が拡散し易い曲面を有する光源であればよい。よって、Ｕ形や円形の他形状の蛍光灯や、白熱電球等の他の光源を用いてもよいし、例えば、透光性を有する円柱状の筒の中に白色ＬＥＤを設けたものでもよい。
【００６３】
直管やＵ形の蛍光灯を用いて、平面スピーカの振動板が蛍光灯を覆うようにフレーム部材に蛍光灯を配置し、平面スピーカから出力された音が蛍光灯の表面に、より多く当たるようにすれば、より優れた音の拡散効果を得ることができる。照明器具１０内における光源の数や配置は、必要な照明性能に応じて適宜決めればよい。
【００６４】
また、開口部２８から点検作業を行う際に、光源は邪魔になるので、本実施形態のソケット３４のような、着脱が容易な光源の取付方法が適している。
【００６５】
また、開口部２８をＡ４サイズの大きさとしたが、反射板の裏側の空間に設けられた安定器等の照明機器や増幅器等の音響機器の保守作業ができる大きさであればよく、適用する照明器具の反射板の大きさや形状に応じて適宜決めればよい。開口部２８を点検口として用いない場合には、開口部２８を小さくしてもよい。
【００６６】
また、天井部へ設ける照明器具１０の配置や数は、必要とされる室空間の照明効果に応じて適宜決めればよいし、天井部以外の壁部や床部に照明器具を設けてもよい。本実施形態においては、下面開放型の照明器具１０の例を示したが、図６に示すようなルーバー６０を反射板２２の開放面に設けたルーバー型照明器具６２においても同様の効果を得ることができる。
【００６７】
また、平面スピーカ３０の振動板３２の平面形状を四角としたが、平面スピーカ３０の音質を損ねなければ、どの様な形状や大きさにしてもよい。また、１つの照明器具１０に設けられる振動板３２の数や配置についても必要とする音響性能に応じて適宜決めればよい。平面スピーカ３０を室空間に取出すことを考えるのであれば、長方形が適している。
【００６８】
また、振動板３２の下面Ｃを耐火性を有する材料とすれば、火災時等の非常放送用のスピーカとして使用することができる。
【００６９】
また、音響信号発生装置は、平面スピーカ３０を音源とするための音響信号を発生させる装置であり、例えば、ＣＤプレイヤー（Compact Disk Player）、カセットテープ・プレイヤー、ＭＤプレイヤー、及びＭＰ−３プレイヤー等の記録媒体の可聴信号（オーディオ信号）再生装置や無線受信機（ラジオ受信機）等がある。
【００７０】
また、音声信号発生装置は、平面スピーカ３０を音源とするための音声信号を発生さる装置であり、例えば、マイクロフォン等がある。
【００７１】
また、反射板２２の内面Ａ、端部カバー２４の内面Ｂ、振動板３２の下面Ｃを白色としたが、光を反射する色であればよく、鏡面としてもよい。白色面や鏡面とすることによって、より優れた光の反射効果を得ることができる。
【００７２】
また、反射板２２と振動板３２の反射面を同色としたが、素材や塗料の違いによって完全な同色にならない場合には、概ね同じ色に見えればよい。反射板２２と振動板３２の反射面を出来るだけ近い色にすることが望ましい。
【００７３】
また、反射板２２の開口部２８と振動板３２の間に防振ゴム３８を設けた例を示したが、これに限らず、振動板３２と反射板２２の間の振動伝播を低減し、密着性を高められる弾性材料であればよい。
【００７４】
また、振動板３２の上面に装着される振動子４６の配置及び数は、平面スピーカ３０の音響性能に応じて適宜決めればよい。
【００７５】
また、スピーカ線に、インピーダンスによる減衰を受けにくいオーディオ用ケーブル（例えば、同軸ケーブル等）を用いれば、高周波成分に対してもローノイズで電気信号を伝送することが可能であり、これによって高い音質が得られる。非常放送や案内放送であればそれほど高い音質は必要とされないが、館内のＢＧＭ等の音楽を流す場合には、高い音質が要求されるので、オーディオ用ケーブルを用いることは効果的である。
【図面の簡単な説明】
【００７６】
【図１】本発明の実施形態に係る照明器具を示す斜視図である。
【図２】本発明の実施形態に係る照明器具を示す平面図である。
【図３】図２のＡ−Ａ断面図である。
【図４】図２のＢ−Ｂ断面図である。
【図５】本発明の実施形態に係る照明器具の平面スピーカの変形例を示す断面図である。
【図６】本発明の実施形態に係る照明器具の変形例を示す断面図である。
【図７】従来の照明システムを示す概略図である。
【図８】従来の音響装置付照明器具を示す概略図である。
【符号の説明】
【００７７】
１０  照明器具
２２  反射板
２６  蛍光灯（光源）
２８  開口部
３０  平面スピーカ
３２  振動板
４８  平面スピーカ
５４  振動膜（振動板）
６２  照明器具
【図１】
2007305472.tif 000003
【図２】
2007305472.tif 000004
【図３】
2007305472.tif 000005
【図４】
2007305472.tif 000006
【図５】
2007305472.tif 000007
【図６】
2007305472.tif 000008
【図７】
2007305472.tif 000009
【図８】
2007305472.tif 000010